(57)【要約】【課題】紐体に金属線を用いることでネットの強度を向上させつつ、製網機によってスムーズに製網することが可能なネットを提供すること。【解決手段】複数本の線材８，９を撚って紐体５，６が構成されるとともに、複数本の紐体５，６を製網機によって結節することで製網されるネット３であって、複数本の線材８，９のうち、少なくとも１本の線材は、金属線８，９で構成されており、撚られた複数本の線材８，９の周囲には、樹脂材により形成された被覆部１０が設けられ、複数の線材８，９と被覆部１０により紐体５，６が形成される。【選択図】図３
2011063908.tif 000002
【特許請求の範囲】
【請求項１】
複数本の線材を撚って紐体が構成されるとともに、複数本の前記紐体を製網機によって結節することで製網されるネットであって、
前記複数本の線材のうち、少なくとも１本の線材は、金属線で構成されており、前記撚られた複数本の線材の周囲には、樹脂材により形成された被覆部が設けられ、前記複数の線材と前記被覆部により前記紐体が形成されることを特徴とするネット。
【請求項２】
前記複数本の線材のうち、少なくとも１本の線材は、なまし線で構成されることを特徴とする請求項１に記載のネット。
【請求項３】
前記複数本の線材のうち、少なくとも１本の線材は、鋼線で構成されることを特徴とする請求項１または２に記載のネット。
【請求項４】
少なくとも１本の前記金属線は、前記紐体の中心部に配置されていることを特徴とする請求項１ないし３のいずれかに記載のネット。
【請求項５】
少なくとも１本の前記金属線は、他の線材の径よりも大径に形成されることを特徴とする請求項１ないし４のいずれかに記載のネット。
【請求項６】
前記複数本の線材のうち、少なくとも１本の線材は、樹脂線で構成されることを特徴とする請求項１ないし５のいずれかに記載のネット。
【請求項７】
複数本の線材を撚って紐体を構成するとともに、複数本の前記紐体を製網機によって結節することでネットを製網するネットの製造方法であって、
少なくとも１本の線材が金属線で構成された複数本の線材を撚り、該撚られた複数本の線材の周囲を樹脂材により被覆して被覆部を設けて紐体を形成し、複数本の前記紐体を製網機によって結節することでネットを製網することを特徴とするネットの製造方法。
【発明の詳細な説明】
【技術分野】
【０００１】
本発明は、複数本の線材を撚って紐体が構成されるとともに、複数本の前記紐体を製網機によって結節することで製網されるネット及びその製造方法に関する。
【背景技術】
【０００２】
従来、農地や居住地等に間隔をあけて複数の支柱を立設させ、これら支柱間に架設された条体にネットを吊持させることで、農地や居住地等に鳥獣が侵入することを防止している防獣用柵があり、この防獣用柵に用いられるネットには、ポリアミド製のテグス（紐体）を製網した有結節網が使用されている（例えば、特許文献１参照）。
【０００３】
また、このようなネットを製網する製網機は、駆動源に糸振りと上鉤と下鉤アームとを連動させるとともに、上鉤と文銭との間で進退自在に配設された下鉤アームに下鉤を接続しており、糸振りの作用で上鉤に縦糸のループを形成するとともに、下鉤アームを前進させることによってループに下鉤を挿通し、糸振りの作用で下鉤に縦糸（紐体）を引掛けるとともに、下鉤アームを後退させることによって下鉤に引掛けた縦糸で横糸（紐体）を掬い、縦糸と横糸とを蛙又結びにより結節しており、この縦糸と横糸との結節を繰り返すことでネットを製網している（例えば、特許文献２参照）。
【先行技術文献】
【特許文献】
【０００４】
【特許文献１】特開２００８−３０６９４０号公報（第３頁、第１図）
【特許文献２】特開２００６−５７２０１号公報（第４頁、第１図）
【発明の概要】
【発明が解決しようとする課題】
【０００５】
特許文献１に記載のネットにあっては、ネットが屋外に設置されることから、風雨や太陽熱、紫外線等による劣化の問題があるばかりか、鳥獣に対する耐久性に関して、ネットが十分な強度を保つことができずに破られてしまう場合があるため、ネットの縦糸及び横糸（紐体）を高耐候性・耐熱性そして高強度の金属線にして製網することでネットの耐候性、耐熱性及び強度を向上させることが要望されている。しかしながら、特許文献２に示した製網機によって金属線を製網しようとすると、製網機の上鉤及び下鉤と金属線によって構成された縦糸及び横糸との間に生じる摩擦抵抗が大きくなってしまい、金属線を用いて製網がし難くなるという問題がある。
【０００６】
本発明は、このような問題点に着目してなされたもので、紐体に金属線を用いることでネットの耐候性、耐熱性及び強度を向上させつつ、製網機によってスムーズに製網することが可能なネット及びその製造方法を提供することを目的とする。
【課題を解決するための手段】
【０００７】
前記課題を解決するために、本発明のネットは、
複数本の線材を撚って紐体が構成されるとともに、複数本の前記紐体を製網機によって結節することで製網されるネットであって、
前記複数本の線材のうち、少なくとも１本の線材は、金属線で構成されており、前記撚られた複数本の線材の周囲には、樹脂材により形成された被覆部が設けられ、前記複数の線材と前記被覆部により前記紐体が形成されることを特徴としている。
この特徴によれば、耐候性、耐熱性及び強度が高い金属線を紐体が有することで、この紐体により形成されるネットの耐候性、耐熱性及び強度を向上させることができるとともに、樹脂材により形成した被覆部により複数本の紐体の周面を低摩擦に構成することができるので、製網機によってネットを製網する際に、紐体と製網機の各部材との間に発生する摩擦抵抗を小さく抑え、スムーズに製網を行うことができる。
【０００８】
本発明のネットは、
前記複数本の線材のうち、少なくとも１本の線材は、なまし線で構成されることを特徴としている。
この特徴によれば、紐体に金属線の耐候性、耐熱性及び強度と同時に可撓性を与えることができるので、複数の紐体の結節を容易に行うことができ、ネットの取り扱いを容易に行える。
【０００９】
本発明のネットは、
前記複数本の線材のうち、少なくとも１本の線材は、鋼線で構成されることを特徴としている。
この特徴によれば、高靭性を有するステンレス鋼などで形成された鋼線を線材に用いることで、ネットの耐候性、耐熱性及び強度を向上させて、ネットに衝突体が衝突しても紐体が破断することを防止することができる。
【００１０】
本発明のネットは、
少なくとも１本の前記金属線は、前記紐体の中心部に配置されていることを特徴としている。
この特徴によれば、紐体が折り曲げられることで金属線に発生する折り曲げ応力を均一化することができるので、製網機がネットを製網する際には、製網機は、複数の紐体を結節するために、常に、安定した力で複数本の紐体を折り曲げることが可能となり、製網速度を安定させることができる。
【００１１】
本発明のネットは、
少なくとも１本の前記金属線は、他の線材の径よりも大径に形成されることを特徴としている。
この特徴によれば、紐体の折り曲げに対する強度を向上させ、紐体が金属疲労によって破断してしまうことを防ぐことができる。
【００１２】
本発明のネットは、
前記複数本の線材のうち、少なくとも１本の線材は、樹脂線で構成されることを特徴としている。
この特徴によれば、線材に金属線よりも比重の軽い樹脂線を用いることで、ネットを軽量化することができる。
【００１３】
本発明のネットの製造方法は、
複数本の線材を撚って紐体を構成するとともに、複数本の前記紐体を製網機によって結節することでネットを製網するネットの製造方法であって、
少なくとも１本の線材が金属線で構成された複数本の線材を撚り、該撚られた複数本の線材の周囲を樹脂材により被覆して被覆部を設けて紐体を形成し、複数本の前記紐体を製網機によって結節することでネットを製網することを特徴としている。
この特徴によれば、耐候性、耐熱性及び強度が高い金属線を紐体が有することで、この紐体により形成されるネットの耐候性、耐熱性及び強度を向上させることができるとともに、樹脂材により形成した被覆部により複数本の紐体の周面を低摩擦に構成することができるので、製網機によってネットを製網する際に、紐体と製網機の各部材との間に発生する摩擦抵抗を小さく抑え、スムーズに製網を行うことができる。
【図面の簡単な説明】
【００１４】
【図１】ビルの屋上に設けられた庭園の周囲に張設されたネットを示す斜視図である。
【図２】ネットを示す正面図である。
【図３】紐体の構造を示すＡ−Ａ断面図である。
【図４】紐体の構造の変形例を示す断面図である。
【図５】紐体の構造の変形例を示す断面図である。
【発明を実施するための形態】
【００１５】
本発明に係るネット及びその製造方法を実施するための形態を実施例に基づいて以下に説明する。
【実施例】
【００１６】
実施例に係るネットにつき、図１から図５を参照して説明する。図１の符号１は、農作物の栽培を行っているビルの屋上に設けられた庭園である。この庭園１の周囲には、複数本の支柱２が立設されており、これら隣り合う支柱２，２間には、本発明の適用されたネット３が張設されている。これらネット３は、庭園１の周囲及び上部に張設されることによって、庭園１内への鳥や猫等の鳥獣４の侵入を防止する防護用ネットである。
【００１７】
また、これらネット３は、上下方向に配置された複数の紐体５，６を互いに結節することで構成されている。具体的には、複数の紐体５，６は、互いに製網機（図示略）によって一般的な蛙又結びで結節されることで複数の結節部７を形成しており、ネット３を正面視で菱形状の網目の有結節網として構成している。
【００１８】
尚、本実施例では、ネット３の網目の寸法は、防鳥・防獣の用途を考慮して一辺を２５ｍｍ〜２００ｍｍ程度とすることが望ましいが、ネット３の網目は、防鳥・防獣の他、漁網等の用途によって適宜変更することが望ましい。
【００１９】
次に、本実施例における紐体５，６の構造について説明する。尚、これら紐体５，６は同一の構造につき紐体５の構造のみについて説明し、紐体６の構造の説明は省略する。
【００２０】
図３に示すように、この紐体５は、高靭性を有している線材である第１鋼線８（金属線）及び第２鋼線９（金属線）と、これら第１鋼線８と第２鋼線９との周囲を被覆する被覆部１０と、により構成されている。これら両鋼線８，９のうち、第１鋼線８は、クロムを約１１％以上含有した高耐候性、耐熱性又は強度のばね用ステンレス鋼線であり、紐体５の中心部に配置され芯材として用いられている。
【００２１】
一方、第２鋼線９は、焼鈍処理（なまし加工）が施されたことにより第１鋼線８よりも軟質に構成された本発明におけるなまし線としての軟質ステンレス鋼線であり、第１鋼線８の周面に沿って複数本（本実施例では６本）が配置されている。
【００２２】
また、これら第２鋼線９は、第１鋼線８の周面に沿って配置された状態で、第１鋼線８の長手方向に向けて撚られることで第１鋼線８を被覆している。尚、第１鋼線８は、第２鋼線９よりも大径に形成されており、鳥獣４によって破断されない強度を確保している。
【００２３】
ネット３を製造する際には、先ず、第１鋼線８と第２鋼線９とを撚り、次に、この撚られた第１鋼線８と第２鋼線９との周囲を樹脂材により被覆して被覆部１０を設けて紐体５を形成し、そして、複数本の紐体５を製網機によって結節することでネット３を製網する。
【００２４】
前述のように構成された紐体５の周囲は、フッ素樹脂等の低摩擦特性を有する樹脂材によって構成された被覆部１０によって被覆されている。このため、本実施例におけるネット３では、製網機による製網時に、製網機の各部材が直接第２鋼線９に当接することがないので、紐体５と製網機との各部材との間に発生する摩擦抵抗を小さく抑えることができる。また、紐体５，６同士との間に発生する摩擦抵抗も小さく抑えることができる。
【００２５】
加えて、図１に示すように、ネット３は、農地１の周囲に張設されることで日光から紫外線を受けるが、第１鋼線８と第２鋼線９とがステンレス鋼で構成されているため、紐体５，６が殆ど劣化することがない。このため、本実施例のネット３は、長期に渡って防獣用ネットとしての耐候性、耐熱性及び強度を保って使用可能となっている。
【００２６】
尚、本実施例では、線材を第１鋼線８と第２鋼線９とで構成したが、例えば、図４に示すように、線材を全て略同一径のステンレス鋼材の鋼線１１とポリエチレン等の樹脂材の樹脂線１２により構成してもよい。具体的には、１本の鋼線１１を紐体５の中心に配置するとともに、この紐体５の中心である鋼線１１の周囲に各３本の鋼線１１と樹脂線１２とを周方向に交互に配置する。この場合には、鋼線よりも比重の軽い樹脂材を線材の一部として用いることで、ネット３の軽量化を図ることができる。
【００２７】
また、本実施例では、線材を第１鋼線８と第２鋼線９とで構成したが、例えば、図５に示すように、線材を全て同一組成のステンレス鋼材の鋼線１３で構成してもよい。特に、これら鋼線１３を前述のばね用ステンレス鋼材とすることで、ネット３の耐候性、耐熱性及び強度を更に強固とすることができる。
【００２８】
以上、本実施例におけるネット３は、複数本の線材を撚って紐体５，６が構成されるとともに、複数本の紐体５，６を製網機によって結節することで製網されるネット３であって、複数本の線材のうち、少なくとも１本の線材は、金属線で構成されており、撚られた複数本の線材の周囲には、樹脂材により形成された被覆部１０が設けられ、複数の線材と被覆部１０により紐体５，６が形成されることによって、耐候性、耐熱性又は強度が高い金属線を紐体５，６が有することで、この紐体５，６により形成されるネット３の耐候性、耐熱性又は強度を向上させることができるとともに、樹脂材により形成した被覆部１０により複数本の紐体５，６の周面を低摩擦に構成することができるので、製網機によってネット３を製網する際に、紐体５，６と製網機の各部材との間に発生する摩擦抵抗を小さく抑え、スムーズに製網を行うことができる。
【００２９】
また、複数本の線材のうち、少なくとも１本の線材は、なまし線である第２鋼線９で構成されることで、紐体５，６に金属線の耐候性、耐熱性及び強度と同時に可撓性を与えることができるので、複数の紐体５，６の結節を容易に行うことができ、ネット３の取り扱いを容易に行える。
【００３０】
また、複数本の線材のうち、少なくとも１本の線材は、高靭性を有するステンレス鋼などで形成された第１鋼線８を線材に用いることで、ネット３の耐候性、耐熱性及び強度を向上させて、ネット３に衝突体が衝突しても紐体５，６が破断することを防止することができる。
【００３１】
また、少なくとも１本の第１鋼線８は、紐体５，６の中心部に配置されているので、紐体５，６が折り曲げられることで第１鋼線８に発生する折り曲げ応力を均一化することができるので、製網機がネット３を製網する際には、製網機は、複数の紐体５，６を結節するために、常に、安定した力で複数本の紐体５，６を折り曲げることが可能となり、製網速度を安定させることができる。
【００３２】
また、少なくとも１本の第１鋼線８は、第２鋼線９の径よりも大径に形成されるので、紐体５，６の折り曲げに対する耐候性、耐熱性及び強度を向上させ、紐体５，６が金属疲労によって破断してしまうことを防ぐことができる。
【００３３】
また、複数本の線材のうち、少なくとも１本の線材は、樹脂線１２で構成されるので、線材に鋼線１１よりも比重の軽い樹脂線１２を用いることで、ネット３を軽量化することができる。
【００３４】
本実施例におけるネット３の製造方法は、複数本の線材を撚って紐体５，６を構成するとともに、複数本の紐体５，６を製網機によって結節することでネット３を製網するネット３の製造方法であって、少なくとも１本の線材が金属線で構成された複数本の線材を撚り、撚られた複数本の線材の周囲を樹脂材により被覆して被覆部１０を設けて紐体５，６を形成し、複数本の紐体５，６を製網機によって結節することでネット３を製網するので、耐候性、耐熱性及び強度が高い金属線を紐体５，６が有することで、この紐体５，６により形成されるネット３の耐候性、耐熱性及び強度を向上させることができるとともに、樹脂材により形成した被覆部１０により複数本の紐体５，６の周面を低摩擦に構成することができるので、製網機によってネット３を製網する際に、紐体５，６と製網機の各部材との間に発生する摩擦抵抗を小さく抑え、スムーズに製網を行うことができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、ネット３を庭園１の周囲に張設することによって、庭園１内への鳥、猫等の鳥獣４の侵入を防止する防護用ネットとして使用したが、本発明のネット３は、漁網等にも使用可能である。
【００３７】
また、前記実施例では、ネット３を、紐体５，６同士を製網機による蛙又結びで結節した有結節網として構成したが、紐体５，６同士の結節は、前述の蛙又結びや二重蛙又結び等の製網に用いられる結びであれば特に限定されない。
【符号の説明】
【００３８】
１                庭園
２                支柱
３                ネット
４                鳥獣
５，６            紐体
７                結節部
８                第１鋼線（線材，金属線）
９                第２鋼線（線材，金属線）
１０              被覆部
１１              鋼線（線材）
１２              樹脂線（線材）
１３              鋼線（線材）
【図１】
2011063908.tif 000003
【図２】
2011063908.tif 000004
【図３】
2011063908.tif 000005
【図４】
2011063908.tif 000006
【図５】
2011063908.tif 000007